(57)【要約】【課題】  直進性能を保持しつつ、旋回性能の向上を図ることができるウォータージェット推進型の小型滑走艇の提供。【解決手段】  ハル２及びデッキ３が接合して成る船体１と、該船体１側部における前記ハル２及びデッキ３の接合箇所に沿って前後方向に延設されたサイドバンパ４０とを備え、前記サイドバンパ４０は、下方へ突出して前後方向へ延設された突出部４５を有する。【選択図】  図１
2005132263.tif 000002
【特許請求の範囲】
【請求項１】
ハル及びデッキが接合して成る船体と、
該船体側部における前記ハル及びデッキの接合箇所に沿って前後方向に延設されたサイドバンパとを備え、
前記サイドバンパは、下方へ突出して前後方向へ延設された突出部を有することを特徴とするウォータージェット推進型の小型滑走艇。
【請求項２】
前記接合箇所上であって前記船体の前部に設けられたフロントバンパと、前記接合箇所上であって前記船体の後部に設けられたリヤバンパとを備え、
前記突出部は、前記フロントバンパとリヤバンパとの離隔寸法の半分以上にわたって延設されていることを特徴とする請求項１に記載の小型滑走艇。
【請求項３】
前記突出部は、前記船体の前後方向の中央位置よりも後寄りに設けられていることを特徴とする請求項１又は２に記載の小型滑走艇。
【請求項４】
前記突出部は、前記船体の正面視で前記フロントバンパの下方へ露出していることを特徴とする請求項２又は３に記載の小型滑走艇。
【請求項５】
前記突出部は、前記船体の背面視で前記リヤバンパの下方へ露出していることを特徴とする請求項２乃至４の何れかに記載の小型滑走艇。
【請求項６】
前記デッキに設けられたシートを備え、ライダーが該シートにまたがって乗る騎乗型であることを特徴とする請求項１乃至５の何れかに記載の小型滑走艇。
【発明の詳細な説明】
【技術分野】
【０００１】
本発明は、ウォータージェット推進型の小型滑走艇に関する。
【背景技術】
【０００２】
ウォータージェット推進型の小型滑走艇は、レジャー用，スポーツ用、或いはレスキュー用として近年多用されている。該小型滑走艇は、ハル及びデッキにより構成された艇内にエンジンを備えており、一般にハル後部の底面に設けられた吸水口から吸い込んだ水を、前記エンジンにより駆動されるウォータージェットポンプで加圧・加速して後方へ噴射することによって船体の推進力を得ている。このような小型滑走艇では、所定の走行性能を確保するために、ハル後部の側面にスポンソンを設けるなどしている（特許文献１参照）。このスポンソンは、艇に所定の走行性能を確保するためのスタビライザー機能も有している。
【特許文献１】特許第２６７１０９１号公報
【発明の開示】
【発明が解決しようとする課題】
【０００３】
ところで、上述したスポンソンは、艇の直進性能と旋回性能とを両立させる必要があり、その結果、一般にスポンソンは比較的短寸に形成され、ハルの側面における後寄りの一部分のみに設けられている。しかしながら、近年では、旋回性能をより一層向上させたいという要望がある。
【０００４】
そこで本発明は、直進性能を一定のレベルに保ちながら、旋回性能の更なる向上を図ることができる小型滑走艇を提供することを目的とする。
【課題を解決するための手段】
【０００５】
本発明は上記のような事情に鑑みてなされたものであり、本発明に係るウォータージェット推進型の小型滑走艇は、ハル及びデッキが接合して成る船体と、該船体側部における前記ハル及びデッキの接合箇所に沿って前後方向に延設されたサイドバンパとを備え、前記サイドバンパは、下方へ突出して前後方向へ延設された突出部を有する。
【０００６】
このような構成とした場合、滑走艇が旋回するときには船体が傾斜してハル側面が水面に接するため、突出部とハル側面との間に水流が形成され、前記突出部はスタビライザーの役割を果たす。そして突出部は、デッキ及びハルの接合箇所（ガンネルライン）に沿って長寸に構成することができるため、接水長を大きく確保でき、艇の旋回性能の向上を図ることができる。また、一般にガンネルラインは、滑走艇が直進している間はほぼ水面上に露出され、且つ、旋回しているときには旋回方向側のガンネルラインは水中に没する。従って、上述した構成において前記突出部は、直進時には接水しにくく、走行抵抗の増加を抑制することができ、実質的に直進性能を保持しながら旋回性能の向上を図ることができる。更に、サイドバンパに対して突出部を一体成形した場合には、別個独立した突出部を用意する必要がなく、部品点数の増加を抑制することができる。
【０００７】
また、前記接合箇所上であって前記船体の前部に設けられたフロントバンパと、前記接合箇所上であって前記船体の後部に設けられたリヤバンパとを備え、前記突出部は、前記フロントバンパとリヤバンパとの離隔寸法の半分以上にわたって延設されていてもよい。この場合には、従来ハルに設けられていたスポンソンに比べて寸法的により長いスタビライザーを、前記突出部によって構成することができ、旋回性能の向上を図ることが可能である。
【０００８】
また、前記突出部は、前記船体の前後方向の中央位置よりも後寄りに設けられていてもよい。一般に、ライダーが搭乗した状態での滑走艇の重心は、船体の前後方向の中央位置よりも若干後寄りになっているため、旋回時にはガンネルラインの後側が前側に比べてより深く水中に没しやすい。従って上述したような構成とした場合、後寄りに設けられた突出部は水と接触しやすく、旋回性能を向上させることができる。
【０００９】
また、前記突出部は、前記船体の正面視で前記フロントバンパの下方へ露出していてもよい。この場合には、走行中に前方から接近してくる水を、突出部とハル側面との間へ円滑に導入させることができ、走行抵抗の増加を抑制することができる。
【００１０】
また、前記突出部は、前記船体の背面視で前記リヤバンパの下方へ露出していてもよい。この場合には、突出部とハル側面との間に形成される水流を、リヤバンパにて妨げられることなく船体後方へ排出することができる。その結果、旋回性能の向上を図ることができ、走行抵抗の増加を抑制することができる。
【００１１】
前記デッキに設けられたシートを備え、ライダーが該シートにまたがって乗る騎乗型であってもよい。デッキ後部のフロア上に立位で搭乗する所謂立乗り型の滑走艇では、走行時の船体重心は後部側に存在するが、いわゆる騎乗型の滑走艇における走行時の重心は、船体の中央近くに存在する。従って、立乗り型に比べて騎乗型の滑走艇は、旋回時に、船体側部のガンネルラインがより広い範囲にて水と接触することになる。そこで、上述したように、船体側部のガンネルラインに沿って長寸の突出部を設けた構成は、騎乗型の小型滑走艇に適用することにより、上述したような旋回性能の向上をより図ることができる。なお、立乗り型の滑走艇においても、上記構成を採用することにより、旋回時での接水長が拡大するため、上述したのと同様の作用及び効果を得ることができる。
【発明の効果】
【００１２】
本発明に係る小型滑走艇によれば、直進性能を一定レベルに保ちながら、旋回性能の更なる向上を図ることができる。
【発明を実施するための最良の形態】
【００１３】
以下、本発明の実施の形態にかかるウォータージェット推進型の小型滑走艇について、図面を参照しながら具体的に説明する。図１に示す滑走艇は、ライダーがシート７上に跨って乗る騎乗型の滑走艇であり、その船体１は、ハル２と該ハル２の上部を覆うデッキ３とから構成されている。船体１の全周に渡るハル２とデッキ３との接続ラインはガンネルライン４とする。このガンネルライン４は、艇が停泊しているときには喫水線５よりも上方に位置するが、旋回走行時には接水する場合もある。
【００１４】
図２に示すように、船体１の上部におけるデッキ３の長手方向の略中央位置であって左右の中央には、平面視にて略長方形状のデッキ開口部６が、船体１の前後方向に長辺を沿うようにして設けられている。該デッキ開口部６の上方には、ライダーが跨って座る騎乗型のシート７が着脱可能にして取り付けられている。
【００１５】
デッキ開口部６の下方にてハル２及びデッキ３により囲まれた空間はエンジンルーム８を成しており、該エンジンルーム８内には、滑走艇を駆動させるエンジンＥが搭載されている。また、前記エンジンルーム８は、横断面が凸状を成しており、下部に比して上部が狭くなるような形状を成しており、その内部にてエンジンＥは、図１に示すようにクランクシャフト９が船体１の前後方向に沿うようにして収納されている。
【００１６】
クランクシャフト９の出力端部は、ドライブシャフト１０を介し、船体１の後部に配置されたウォータージェットポンプＰのポンプ軸１１に接続されている。従って、クランクシャフト９の回転に連動してポンプ軸１１は回転する。ポンプ軸１１にはインペラ１２が取り付けられており、該インペラ１２の後方には静翼１３が配置されている。インペラ１２の外周方には、該インペラ１２を覆うようにポンプケーシング１４が設けられている。
【００１７】
船体１の底部には吸水口１５が設けられている。該吸水口１５と前記ポンプケーシング１４との間は吸水通路により接続され、該ポンプケーシング１４は更に、船体１の後部に設けられたポンプノズル１６に接続されている。該ポンプノズル１６は、後方へいくに従ってノズル径が小さくなるように構成されており、後端には噴射口１７が形成されている。
【００１８】
滑走艇は、前記吸水口１５から吸入した水をウォータージェットポンプＰにて加圧・加速し、また、静翼１３にて整流して、前記ポンプノズル１６を通じて前記噴射口１７から後方へ吐出する。滑走艇は、噴射口１７から吐き出された水の反動により、推進力を得る。
【００１９】
デッキ３の前部には操舵用のハンドルバー１９が設けられ、該ハンドルバー１９は、ポンプノズル１６の後方に配置されたステアリングノズル２０との間にてケーブル（図示せず）を介して接続されている。ハンドルバー１９を左右に操作することにより、ステアリングノズル２０は左右に揺動される。従って、ウォータージェットポンプＰが推力を発生させている間にハンドルバー１９を操作することにより、ポンプノズル１６を通じて外部へ吐き出される水の方向を変えることができ、滑走艇の前進方向を変えることができる。
【００２０】
図１に示すように、船体１後部であって前記ステアリングノズル２０の上部には、ボウル状のバケット２２が配置されている。該バケット２２は、軸が滑走艇の左右方向に向けられた揺動軸２３によって支持され、該揺動軸２３を軸として上下方向へ揺動することができる。バケット２２を揺動軸２３を中心に下方へ揺動させステアリングノズル２０の後方に位置させた場合、ステアリングノズル２０から後方へ吐き出される水の吐出方向は、略前方へ変更されるようになっている。従ってこのとき、滑走艇を後進させることができる。
【００２１】
図３は、上述した小型滑走艇の前端部近傍の拡大部分側面図であり、図４は、小型滑走艇の後端部近傍の拡大部分側面図である。図３に示すように、船体１の前端部には、ガンネルライン４に沿ってフロントバンパ３０が付設されており、船体１の側部であってフロントバンパ３０に続くガンネルライン４上にはサイドバンパ４０が付設されている（図１，２も参照）。一方、図４に示すように、船体１の後端部であって左右のコーナー部分には、ガンネルライン４に沿ってリヤバンパ５０が付設されており（図１，２も参照）、該リヤバンパ５０の下方であってハル２の側部にはスポンソン６０が付設されている。図１に示すように、上記サイドバンパ４０は、ガンネルライン４上であってフロントバンパ３０とリヤバンパ５０との間の全域にわたり、このガンネルライン４に沿って前後方向に延設されている。
【００２２】
図５は、図３に示すフロントバンパ３０のV-V断面図であり、この断面を正面視したものを示している。図５に示すように、合成樹脂製のフロントバンパ３０は、横断面がチャネル形状を成す本体部３１とクッション部３２とを有し、ハル２及びデッキ３から成るガンネル４Ａを本体部３１で覆うようにして付設されている。
【００２３】
より詳しくは、ガンネル４Ａは、ハル２の縁部とデッキ３の縁部とが合わさって形成され、上下に反転した略Ｌ字形状を成しており、この構成は船体全周にわたるガンネル４Ａおいて略同様である。チャネル形状を成す本体部３１は、ガンネル４Ａの上下部分及び側部を覆うようにして設けられ、側方から貫通する締結部材３３によってガンネル４Ａに固定されている。また、本体部３１の側部には、上下からクッション部３２を支持する可撓性の支持部３４が突設されている。クッション部３２はこの支持部３４により、本体部３１の側面から若干隙間を空けた状態で支持されており、この状態で締結部材３３はクッション部３２により覆われている。
【００２４】
従って、外部からクッション部３２への接触があった場合、クッション部３２及び本体部３１の弾性により、また、クッション部３２を支える支持部３４が撓曲することにより、その衝撃は和らげられる。また、本体部３１へ直接的に接触があった場合も、この本体部３１自身の弾性により、その衝撃は和らげられる。
【００２５】
図６は、図３に示すサイドバンパ４０のVI-VI断面図であり、この断面を正面視したものを示している。図６に示すように、合成樹脂製のサイドバンパ４０は、横断面がチャネル形状を成す本体部４１とクッション部４２とを有し、ガンネル４Ａを本体部４１で覆うようにして付設されている。
【００２６】
より詳しくは、サイドバンパ４０の本体部４１は、側面部４１Ａの上下それぞれの端部から略水平方向の一方へ向けて上面部４１Ｂ及び下面部４１Ｃが延設されることにより略チャネル形状を成し、ガンネル４Ａの上下部分及び側部を覆うようにして設けられている。そして、この本体部４１は、側方から貫通する締結部材４３によってガンネル４Ａに固定されている。
【００２７】
本体部４１の側面部４１Ａには、上下からクッション部４２を支持する可撓性の支持部４４が他方へ向けて突設されている。クッション部４２はこの支持部４４により、本体部４１の側面部４１Ａから若干隙間を空けた状態で支持されており、この状態で締結部材４３はクッション部４２により覆われている。このようなサイドバンパ４０は、上述したフロントバンパ３０と同様の緩衝作用を発揮することができる。
【００２８】
本体部４１の下面部４１Ｃからは、下方へ突出する突出部４５が設けられており、この突出部４５は、図１に示すようにサイドバンパ４０の略全長にわたって設けられている。このような突出部４５は、滑走中の艇が旋回したときに水中に没し、ハル２の側部との間に水流を形成してスタビライザーの役割を果たす。また、直進走行時においては、突出部４５は水面上に露出した状態となるため、接水することによる走行抵抗の増加が防止される。
【００２９】
また、図５に示すように、フロントバンパ３０側から正面視した場合、突出部４５はフロントバンパ３０の下部から更に下方へ突出して露出している。従って、旋回時に突出部４５へ向かってくる水流は、フロントバンパ３０によって妨げられ難く、この突出部４５はスタビライザーの役割を適切に果たすことができる。更に、図６に示すように突出部４５は、本体部４１の側面部４１Ａの下方においてこの側面部４１Ａの延長上に設けられている。従って、本体部４１はガンネル４Ａに沿うように湾曲させやすく、付設作業を容易に行い得る。
【００３０】
図７は、図４に示すリヤバンパ５０のVII-VII断面図であり、この断面を背面視したものを示している。図７に示すように、合成樹脂製のリヤバンパ５０は、横断面がチャネル形状を成す本体部５１とクッション部５２とを有し、ガンネル４Ａを本体部５１で覆うようにして付設されている。即ち、本体部５１は、ガンネル４Ａの上下部分及び側部を覆うようにして設けられ、側方から貫通する締結部材５３によってガンネル４Ａに固定されている。
【００３１】
また、本体部５１の側部には、上下からクッション部５２を支持する可撓性の支持部５４が突設されている。クッション部５２はこの支持部５４により、本体部５１の側面から若干隙間を空けた状態で支持されており、この状態で締結部材５３はクッション部５２により覆われている。このようなリヤバンパ５０は、上述したフロントバンパ３０と同様の緩衝作用を発揮することができる。
【００３２】
また、図７に示すように、リヤバンパ５０側から背面視した場合、サイドバンパ４０に設けられた突出部４５は、リヤバンパ５０の下部から更に下方へ突出して露出している。従って、旋回時に水中に没した突出部４５がハル２の側部との間に形成する水流は、リヤバンパ５０によってその流れを妨げられ難く、船体１後部から円滑に排出されるため、突出部４５はスタビライザーとしての機能を適切に果たすことができる。
【００３３】
図８は、上述したような構成の小型滑走艇の直進時及び旋回時の様子を示す背面図である。図８に示すように、直進時には、喫水線７０（二点鎖線により図示）がサイドバンパ４０（図８ではリヤバンパ５０の紙面奥側）よりも下方に位置しており（図１も参照）、且つスポンソン６０は水面に接している。従って、直進時に、サイドバンパ４０に設けられた突出部４５が接水して走行抵抗が増加するのを抑制しつつ、スポンソン６０の機能により所定の直進性能が確保されている。
【００３４】
一方、旋回時（図８では右旋回時の様子を図示）には、喫水線７１（破線により図示）が右側のサイドバンパ４０上に位置している。従ってこのとき、突出部４５は水中に没してスタビライザーとして機能し、所定の旋回性能を確保する。また、本実施の形態に小型滑走艇は騎乗型であり、走行時の重心位置は船体１の中心近くに存在する。従って、図８に示すように旋回して船体１が傾斜した場合、右側のサイドバンパ４０は、その略全長が水中に没する。そして、上述したようにサイドバンパ４０の略全長にわたって突出部４５が設けられているため（図１参照）、旋回時にこの突出部４５は前後方向に長い範囲で接水する。その結果、より優れた旋回性能を得ることができる。
【００３５】
なお、サイドバンパ４０に設けられる突出部４５は、図６に示す構成に限られない。図９は、他の構成を成す突出部を有するサイドバンパ８０を示す横断面図である。図９に示すサイドバンパ８０は、図６に示すサイドバンパ４０と同様に、本体部８１及びクッション部８２を備え、この本体部８１は、側面部８１Ａの上下それぞれの端部から略水平方向の一方へ向けて上面部８１Ｂ及び下面部８１Ｃが延設されることにより略チャネル形状を成し、ガンネル４Ａの上下部分及び側部を覆うようにして設けられている。
【００３６】
ところで、上記サイドバンパ８０の下面部８１Ｃは、水平方向の一方へ向かう途中で湾曲されて下方所定位置まで延設され、更に折り返されて上方所定位置まで略垂直方向に沿って延設されている。その結果、湾曲箇所から先に延設された部分は突出部８５を成している。そして、この突出部８５は旋回時に水中に没し、サイドバンパ４０が有する突出部４５と同様に、スタビライザーとしての役割を果たすことができる。なお、その他の構成及び作用については、図６に示すサイドバンパ４０と同様であるので、ここでの説明は省略する。
【００３７】
また、上述した説明では、フロントバンパ３０とリヤバンパ５０との離隔距離の略全長にわたって設けられた突出部４５について説明したが、必要に応じて短寸化してもよい。例えば、前記離隔距離の半分長だけ突出部を設けてもよい。この場合には、一般に滑走艇の重心位置が後寄りに位置することから、突出部も後寄りに設けることにより、旋回時に接水して旋回性能の向上を図ることができる。
【００３８】
また、本実施の形態においては、騎乗型の小型滑走艇について説明しているが、デッキ上のフロアに立って搭乗する立乗り型の小型滑走艇について、上記構成を適用した場合であっても同様の作用及び効果を得ることができる。
【産業上の利用可能性】
【００３９】
本発明は、ウォータージェット推進型の小型滑走艇、特に、ライダーがシートに跨って搭乗及び走行する騎乗型の小型滑走艇に適用することができる。
【図面の簡単な説明】
【００４０】
【図１】本発明の実施の形態に係る小型滑走艇の側面図である。
【図２】図１に示す小型滑走艇の平面図である。
【図３】図１に示す小型滑走艇の前端部近傍を示す拡大部分側面図である。
【図４】図１に示す小型滑走艇の後端部近傍を示す拡大部分側面図である。
【図５】図３に示すフロントバンパのV-V断面図である。
【図６】図３に示すサイドバンパのVI-VI断面図である。
【図７】図４に示すリヤバンパのVII-VII断面図である。
【図８】図１に示す小型滑走艇の直進時及び旋回時の様子を示す背面図である。
【図９】他の構成を成す突出部を有するサイドバンパを示す横断面図である。
【符号の説明】
【００４１】
１    船体
２    ハル
３    デッキ
４    ガンネルライン
４Ａ  ガンネル
５，７０，７１  喫水線
７    シート
３０  フロントバンパ
３１  本体部
３２  クッション部
４０  サイドバンパ
４１  本体部
４１Ａ，８１Ａ  側面部
４１Ｂ，８１Ｂ  上面部
４１Ｃ，８１Ｃ  下面部
４２，８２    クッション部
４３  締結部材
４４  支持部
４５，８５  突出部
５０  リヤバンパ
５１  本体部
５２  クッション部
６０  スポンソン
Ｅ    エンジン
Ｐ    ウォータージェットポンプ
【図１】
2005132263.tif 000003
【図２】
2005132263.tif 000004
【図３】
2005132263.tif 000005
【図４】
2005132263.tif 000006
【図５】
2005132263.tif 000007
【図６】
2005132263.tif 000008
【図７】
2005132263.tif 000009
【図８】
2005132263.tif 000010
【図９】
2005132263.tif 000011